(57)【要約】      （修正有）【課題】ユーザーによる情報読取部及び操作部の使用時における必要操作範囲を狭くすることのできる画像形成装置を提供する。【解決手段】画像形成装置１００は、画像読取部２、画像形成部３、支持筐体１０、操作部５、及び情報読取部を備える。支持筐体は、画像読取部及び画像形成部の間に介在し、少なくとも画像形成装置の筐体側面及び筐体前面の一部を構成する。操作部が、画像読取部より前方の位置で画像形成装置の左右方向に平行な回転軸を中心に予め定められた回動範囲内で回動可能な状態で支持筐体によって支持され、ユーザーの操作を受け付ける。情報読取部が、操作部の表面が最も鉛直面に近くなる第１姿勢で操作部の後方に一部が存在し、操作部の表面が最も水平面に近くなる第２姿勢で操作部の下方に一部が存在するように筐体側面に収容され、ユーザーの情報を読み取る。【選択図】図１
2018138996.tif 000002
【特許請求の範囲】
【請求項１】
原稿から画像を読み取る画像読取部と、
前記画像読取部より下方に配置され、シートに画像を形成する画像形成部と、
前記画像読取部及び前記画像形成部の間に介在し、少なくとも画像形成装置の左右方向の一方の筐体側面及び前後方向の筐体前面の一部を構成する支持筐体と、
前記画像読取部より前方の位置で前記画像形成装置の左右方向に平行な回転軸を中心に予め定められた回動範囲内で回動可能な状態で前記支持筐体によって支持され、ユーザーの操作を受け付ける操作部と、
前記操作部の表面が最も鉛直面に近くなる第１姿勢で前記操作部の後方に一部が存在し、前記操作部の表面が最も水平面に近くなる第２姿勢で前記操作部の下方に一部が存在するように前記筐体側面に収容され、ユーザーの情報を読み取る情報読取部と、
を備える画像形成装置。
【請求項２】
前記第１姿勢が、前記操作部の表面が鉛直面に平行となる姿勢であり、前記第２姿勢が、前記操作部の表面が水平面に平行となる姿勢である請求項１に記載の画像形成装置。
【請求項３】
前記回転軸が、前記操作部の上端及び下端の内側に位置する請求項１又は２に記載の画像形成装置。
【請求項４】
前記回転軸が、前記操作部の上端及び下端の中央に位置する請求項３に記載の画像形成装置。
【請求項５】
前記情報読取部を覆う読取カバーの表面と前記支持筐体の側面の表面とが平坦である請求項１〜４のいずれかに記載の画像形成装置。
【請求項６】
前記情報読取部が、記録媒体から非接触通信により情報を読取可能である請求項１〜５のいずれかに記載の画像形成装置。
【請求項７】
前記操作部に設けられ、情報を表示する表示部と、
前記表示部に前記情報読取部の位置案内を表示させる制御部と、
を備える１〜６のいずれかに記載の画像形成装置。
【請求項８】
前記制御部が、前記操作部の回動状態に応じて前記位置案内の内容を変化させる請求項１〜７のいずれかに記載の画像形成装置。
【請求項９】
記情報読取部の表面側は読取カバーによって覆われており、前記読取カバーの表面と前記筐体側面の表面の各々が段差を有しない面一である、請求項１〜８のいずれかに記載の画像形成装置。
【請求項１０】
前記筐体側面は画像形成装置の右側面である、請求項１〜９のいずれかに記載の画像形成装置。
【請求項１１】
記画像読取部と前記画像形成部の間には前記支持筐体に隣接して胴内排出部が配置され、
前記胴内排出部の前方は開放され、
前記操作部は左右方向において前記支持筐体よりも前記胴内排出部側に長く形成される、請求項１〜１０のいずれかに記載の画像形成装置。
【請求項１２】
前記支持筐体の前記筐体前面の一部を構成する前面パネルには主電源スイッチが設けられ、
前記主電源スイッチは前記第１姿勢の前記操作部の下端と前記画像形成部の間に配置されている、請求項１〜１１のいずれかに記載の画像形成装置。
【発明の詳細な説明】
【技術分野】
【０００１】
本発明は、ＩＣカードから情報を読み取るＩＣリーダー等を備える画像形成装置に関する。
【背景技術】
【０００２】
複合機のような画像形成装置には、ＩＣカードからユーザーの情報を読み取ることが可能なＩＣリーダーが設けられることがある。また、ＩＣリーダーは、画像形成装置の前面に収容されることがある（例えば、特許文献１参照）。
【先行技術文献】
【特許文献】
【０００３】
【特許文献１】特開２０１４−２０２９１１号公報
【発明の概要】
【発明が解決しようとする課題】
【０００４】
ところで、この種の画像形成装置のユーザーは、自分の有するＩＣカードをＩＣリーダーに読み取らせた後、タッチパネル等の操作部を用いて操作を行う。このように、画像形成装置の使用開始時には、予め定められた一連のユーザー操作が行われる。このとき、ＩＣリーダー及び操作部の位置が離れているほど、ユーザーの必要操作範囲が広くなる。
【０００５】
本発明の目的は、ユーザーによる情報読取部及び操作部の使用時における必要操作範囲を狭くすることのできる画像形成装置を提供することにある。
【課題を解決するための手段】
【０００６】
本発明の一の局面に係る画像形成装置は、画像読取部、画像形成部、支持筐体、操作部、及び情報読取部を備える。前記画像読取部が、原稿から画像を読み取る。前記画像形成部は、前記画像読取部より下方に配置され、シートに画像を形成する。前記支持筐体は、前記画像読取部及び前記画像形成部の間に介在し、少なくとも画像形成装置の筐体側面及び筐体前面の一部を構成する。前記操作部は、前記画像読取部より前方の位置で前記画像形成装置の左右方向に平行な回転軸を中心に予め定められた回動範囲内で回動可能な状態で前記支持筐体によって支持され、ユーザーの操作を受け付ける。前記情報読取部は、前記操作部の表面が最も鉛直面に近くなる第１姿勢で前記操作部の後方に一部が存在し、前記操作部の表面が最も水平面に近くなる第２姿勢で前記操作部の下方に一部が存在するように前記筐体側面に収容され、ユーザーの情報を読み取る。
【発明の効果】
【０００７】
本発明によれば、ユーザーによる情報読取部及び操作部の使用時における必要操作範囲を狭くすることのできる画像形成装置を提供することが可能である。
【図面の簡単な説明】
【０００８】
【図１】図１は、本発明の実施形態に係る画像処理装置の斜視図である。
【図２】図２は、本発明の実施形態に係る画像処理装置の斜視図である。
【図３】図３は、本発明の実施形態に係る画像処理装置の右側面図である。
【図４】図４は、本発明の実施形態に係る画像処理装置の正面図である。
【図５】図５は、本発明の実施形態に係る画像処理装置のカセット表示部を示す斜視図である。
【図６】図６は、本発明の実施形態に係る画像処理装置のカセット表示部を示す斜視図である。
【図７】図７は、本発明の実施形態に係る画像処理装置のカセット表示部を示す斜視図である。
【図８】図８は、本発明の実施形態に係る画像処理装置のカセット表示部のカバーを示す図である。
【図９】図９は、本発明の実施形態に係る画像処理装置の斜視図である。
【図１０】図１０は、本発明の実施形態に係る画像処理装置の右側面図である。
【図１１】図１１は、本発明の実施形態に係る画像処理装置の正面図である。
【図１２】図１２は、本発明の実施形態に係る画像処理装置の斜視図である。
【図１３】図１３は、本発明の実施形態に係る画像処理装置の右側面図である。
【図１４】図１４は、本発明の実施形態に係る画像処理装置の正面図である。
【図１５】図１５は、本発明の実施形態に係る画像処理装置における表示画面の一例を示す図である。
【図１６】図１６は、本発明の実施形態に係る画像処理装置における表示画面の一例を示す図である。
【発明を実施するための形態】
【０００９】
以下、添付図面を参照しながら、本発明の実施形態について説明し、本発明の理解に供する。なお、以下の実施形態は、本発明を具体化した一例であって、本発明の技術的範囲を限定するものではない。
【００１０】
［画像形成装置１００の概略構成］
図１〜図４を参照しつつ、本発明の実施形態に係る画像形成装置１００の概略構成について説明する。ここで、図１及び図２は画像形成装置１００の斜視図、図３は画像形成装置１００の右側面図、図４は画像形成装置１００の正面図である。なお、以下では、各図に示される上下方向Ｄ１１、左右方向Ｄ１２、及び前後方向Ｄ１３を用いて説明することがある。
【００１１】
画像形成装置１００は、ＡＤＦ１、画像読取部２、画像形成部３、給紙カセット４、操作部５、ＩＣリーダー６、電源スイッチ７、制御部８、胴内排出部９、及び支持筐体１０などを備える。画像形成装置１００は、原稿から画像データを読み取るスキャン機能、及び画像データに基づいて画像を形成するプリント機能と共に、ファクシミリ機能、又はコピー機能などの複数の機能を有する複合機である。
【００１２】
ＡＤＦ１は、原稿セット部、搬送ローラー、原稿押さえ、及び排紙部を備え、画像読取部２によって読み取られる原稿を搬送する自動原稿搬送装置である。画像読取部２は、原稿台、光源、ミラー、光学レンズ、及びＣＣＤ（Ｃｈａｒｇｅ  Ｃｏｕｐｌｅｄ  Ｄｅｖｉｃｅ）を備え、原稿から画像を読み取り画像データとして出力することが可能である。なお、画像読取部２は、画像形成部３の上方に配置されており、ＡＤＦ１は、画像読取部２の上方に配置されている。ＡＤＦ１は、画像読取部２に対して開閉可能であり、ＡＤＦ１には、ユーザーによるＡＤＦ１の開閉操作に用いられる把持部１Ａが設けられている。
【００１３】
［給紙カセット４］
給紙カセット４は、画像形成装置１００に対して着脱可能であり、給紙カセット４には、画像形成部３に供給されるシートが収容される。また、給紙カセット４の前面４１には、給紙カセット４に収容されるシートのサイズ及びシート種別などのシートに関する情報が表示されるカセット表示部４２が設けられている。具体的に、カセット表示部４２は、給紙カセット４の前面４１における右端部近傍であって、操作部５の鉛直下方向の位置に対応する範囲に配置されている。なお、カセット表示部４２は、給紙カセット４の前面４１において左端部近傍に配置されてもよい。
【００１４】
ここに、図５〜図７はカセット表示部４２を含む給紙カセット４の表面４１の要部を示す斜視図であり、図８はカバー４３の平面図である。図５〜図７に示されるように、カセット表示部４２は、カバー４３、装着部４４、及び表示シート４５（情報表示部材の一例）を備える。
【００１５】
カバー４３は、回動軸４３０、段数表示部４３１、窓部材４３２、係合部４３３、及び傾斜面４３４を有する。回動軸４３０は、鉛直方向に平行な軸であり、カバー４３は、回動軸４３０によって装着部４４に対して開閉可能に支持されている。段数表示部４３１には、給紙カセット４が使用される段数を示す番号が予め記されている。
【００１６】
窓部材４３２は、装着部４４に挿入された表示シート４５を外部から視認可能な透光性を有するアクリル樹脂などである。なお、カバー４３の窓部材４３２が省略され、カバー４３の窓部材４３２に対応する位置に開口が形成されていてもよい。
【００１７】
係合部４３３は、装着部４４に設けられている後述の被係合部４４３と係合することにより、カバー４３の閉鎖状態を維持する。具体的に、係合部４３３は、図８に示されるように、突起４３３Ａを有しており、前記被係合部４４３内に形成された被嵌合部（凹部）に嵌合することにより、カバー４３の閉鎖状態を維持する。一方、カバー４３が前方に引き出される際には、係合部４３３が撓み突起４３３Ａが前記被嵌合部から離脱してカバー４３が開かれる。
【００１８】
ここで、カバー４３の傾斜面４３４は、図８に示されているように、カバー４３において、表示シート４５の装着部４４への挿入方向の上流側端部であって、装着部４４の傾斜面４４５に対向する位置に形成されている。また、傾斜面４３４は、傾斜面４４５と同じ方向に傾斜面４４５より急な傾斜を有する。これにより、ユーザーは、カバー４３の傾斜面４３４と装着部４４の傾斜面４４５との間に指を入れるなどして、カバー４３を容易に開くことが可能である。
【００１９】
ところで、この種の給紙カセット４において、表示シート４５が挿入される装着部４４が給紙カセット４の前面４１から突出して設けられていると、給紙カセット４の表面４１に凹凸が生じる。そのため、例えば給紙カセット４又は画像形成装置１００の外観における一体感が阻害されることがあり、又はユーザーの手などが引っ掛かるおそれがある。
【００２０】
これに対し、カバー４３は、閉じられた状態で表面が給紙カセット４の前面４１と平坦である。即ち、カバー４３の表面及び給紙カセット４の前面４１の表面は段差を有しない面一になっている。これにより、装着部４４により生じる給紙カセット４の表面４１の凹凸が抑制される。従って、カセット表示部４５が給紙カセット４から突出する場合に比べて給紙カセット４又は画像形成装置１００の外観における一体感が阻害されず、ユーザーがカセット表示部４５に引っ掛かるおそれもない。
【００２１】
装着部４４は、給紙カセット４の前面４１に窪んで形成され、装着部４４には表示シート４５が挿脱可能である。即ち、装着部４４は、給紙カセット４の前面４１に形成された凹部であると共に、カバー４３の表面が給紙カセット４の前面４１と面一になっているため、カセット表示部４２は前面４１から突出していない。具体的に、装着部４４は、保持部４４１、突起部４４２、被係合部４４３、保持面４４４、及び傾斜面４４５を有する。より具体的に、装着部４４には上下に二つの保持部４４１が設けられており、二つの表示シート４５が装着可能である。
【００２２】
保持部４４１各々は、保持面４４４との間に間隙を有し、前記間隙に挿入される表示シート４５を保持面４４４との間で保持する。突起部４４２は、保持部４４１からの表示シート４５の離脱を防止するため、保持部４４１の四隅から内側に突出している。被係合部４４３は、傾斜面４４５に形成された凹部であって、前記凹部内には、カバー４３の係合部４３３が嵌合する被嵌合部（凹部）も形成されている。
【００２３】
傾斜面４４５は、保持面４４４より表示シート４５の挿入方向の上流側で前記挿入方向に沿って、給紙カセット４の前面４１から保持面４４４に向けて徐々に窪む傾斜を有する。そして、装着部４４では、給紙カセット４の前面４１における長手方向（左右方向）に平行な方向に沿って傾斜面４４５から保持部４４１及び保持面４４４の間に表示シート４５が挿入可能である。そのため、ユーザーは、表示シート４５を傾斜面４４５から滑らせて保持面４４４に容易に挿入することが可能である。
【００２４】
表示シート４５は、シートの情報が記された複数の表示面が表示シート４５の装着部４４への挿入方向に連接された長尺状の部材である。例えば、一方の表示シート４５にはシートのサイズが複数種類記載されており、他方の表示シート４５にはシートの材質又は色などのシート種別が複数種類記載されている。なお、表示シート４５は、例えば合成樹脂を主原料として生成される合成紙であるが、紙であってもよい。また、カバー４３が装着部４４の保持部４４１ごとに設けられていてもよい。
【００２５】
表示シート４５は、図７に示されるように、前記挿入方向に一回以上曲折された状態で装着部４４に挿入される。具体的に、図７には、表示シート４５が、前記挿入方向に一回曲折された状態で装着部４４に挿入されるものである場合の例が示されている。この場合、表示シート４５各々は、表裏面合わせて合計４つの前記表示面を有する。
【００２６】
特に、表示シート４５の前記表示面各々に記されたシートの情報の上下方向と給紙カセット４の上下方向とが、表示シート４５の曲折部が前記挿入方向の下流側に位置する状態で一致することが望ましい。これにより、表示シート４５の曲折部によって生じる弾性により、表示シート４５が装着部４４の前記挿入方向下流側に移動する方向に付勢力が作用するため、表示シート４５の装着部４４からの離脱が抑制される。
【００２７】
［画像形成部３］
画像形成部３は、給紙カセット４から供給されるシートに、画像読取部２で読み取られる画像データ又は外部の情報処理装置から入力される画像データに基づいて画像を形成する電子写真方式の画像形成部である。具体的に、画像形成部３は、感光体ドラム、帯電装置、光走査装置（ＬＳＵ）、現像装置、転写ローラー、クリーニング装置、及び定着ローラーなどを備える。
【００２８】
画像形成部３は、図１に示されるように、画像読取部２より下方に配置されており、胴内排出部９は、鉛直方向において画像読取部２及び画像形成部３の間に配置されている。胴内排出部９には、画像形成部３による画像形成後のシートが排出される。なお、画像形成部３は、画像形成部３の前方を覆う開閉可能なカバー部材３１を有しており、カバー部材３１は、例えばトナーカートリッジの交換などの際に開閉される。
【００２９】
また、画像形成装置１００において、胴内排出部９の前方は開放されており、ユーザーは、胴内排出部９のシートを画像形成装置１００の前方から取り出す。ここで、画像形成装置１００では、図４に示されているように、画像形成装置１００の正面視において、支持筐体１０の前面パネル１１の左右方向Ｄ１２の長さが操作部５よりも長さｄ１だけ短い。そのため、例えばユーザーは、車椅子などに座った低姿勢の状態において、胴内排出部９内を見やすくなっている。支持筐体１０の前面パネル１１は、画像読取部２及び画像形成部３の間に介在し、画像形成装置１００の筐体前面の一部を構成する。
【００３０】
［操作部５］
操作部５は、画像読取部２より前方であってカバー部材３１より上方の位置に配置されており、ユーザー操作を受け付けるタッチパネル５１及び操作ボタン５２を備える。タッチパネル５１は、操作画面などの各種の情報を表示する液晶ディスプレー等の表示部を有すると共に、前記表示部に対するユーザー操作を受け付ける。操作ボタン５２は、スタートキー等のハードキーを含む。また、操作部５は、画像形成装置１００の左右方向Ｄ１２に平行な回転軸５３を備えており、支持筐体１０の前面パネル１１の上面１１Ａには、回動軸５３を回動可能に支持する回動支持部１１Ｂが設けられている。これにより、操作部５は、画像読取部２より前方の位置で、画像形成装置１００の左右方向Ｄ１２に平行な回転軸５３によって予め定められた回動範囲内で回動可能に支持される。
【００３１】
ここで、回動軸５３は、操作部５の上端及び下端の略中央の位置に設けられている。これにより、操作部５は、操作部５の上端及び下端の内側の位置を中心に回動可能である。なお、回動軸部５３は、操作部５の上端及び下端の中央に限らず上端及び下端の内側の位置であればよい。
【００３２】
より具体的に、操作部５は、図１〜図４に示されるように操作部５の表面（タッチパネル５１の表面）が鉛直面に平行な第１姿勢（特定姿勢）と、図９〜図１１に示されるように操作部５の表面が水平面に平行な第２姿勢との間で回動可能である。また、操作部５は、前記第１姿勢及び前記第２姿勢の間の任意の位置で姿勢を保持することが可能である。例えば、図１２〜図１４には、操作部５の表面が水平面に対して４５度傾斜した状態が示されている。
【００３３】
即ち、画像形成装置１００において、操作部５は、前記第１姿勢及び前記第２姿勢の間の９０度の回動範囲内で回動可能である。この場合、画像形成装置１００では、操作部５が前記第１姿勢である場合に操作部５の後方となり、操作部５が前記第２姿勢である場合に操作部５の下方となる領域が前面パネル１１の内側に存在する。そこで、後述するように画像形成装置１００では、その領域を利用してＩＣリーダー６が配置される。
【００３４】
なお、前記第１姿勢及び前記第２姿勢はこれに限らない。例えば、前記第１姿勢は、前記操作部５の表面が鉛直面に対して僅かに傾斜した状態、又は鉛直面に対して例えば１５度程度傾斜した状態であってもよい。同じく、前記第２姿勢は、前記操作部５の表面が水平面に対して僅かに傾斜した状態、又は水平面に対して例えば１５度程度傾斜した状態であってもよい。
【００３５】
また、図３に示されるように、画像形成装置１００において、前記第１姿勢における操作部５の表面は、画像形成部３のカバー部材３１の表面及び給紙カセット４の前面４１の表面のいずれか一方又は両方と同一平面上に存在する。なお、画像形成装置１００において、カバー部材３１及び給紙カセット４のいずれか一方又は両方が、前記第１姿勢における操作部５よりも外側に突出していることも考えられる。このような構成によれば、例えば画像形成装置１００の搬送中などにおいて、前記第１姿勢の操作部５が画像形成部３及び給紙カセット４から突出しないため操作部５の破損などを抑制することが可能である。
【００３６】
また、画像形成装置１００では、図３に示されているように、側面視において、操作部５が前記第１姿勢である場合に、操作部５の背面と画像読取部２との間に間隙ｄ２が形成されている。そのため、例えば操作部５が図１３に示されているような姿勢で使用される場合でも、ユーザーは画像形成装置１００の正面に立ち、上方から操作部５の背面と画像読取部２との間の間隙ｄ２を通して胴内排出部９を目視することができる。特に、前述したように、画像形成装置１００の正面視において、支持筐体１０の前面パネル１１の左右方向Ｄ１２の長さが操作部５よりも長さｄ１だけ短いため、胴内排出部９の視認範囲が広くなっている。
【００３７】
［ＩＣリーダー６］
ＩＣリーダー６は、ユーザーが保有するＩＣカードから非接触通信でユーザーの情報を読み取ることが可能である。具体的に、ユーザーは、画像形成装置１００の前面側に立ち、自分の保有するＩＣカードをＩＣリーダー６に読み取らせることにより、画像形成装置１００にログインし、画像形成装置１００の使用を開始する。なお、ユーザーのログイン処理は制御部８によって実行される。本実施形態では、ＩＣリーダー６が情報読取部の一例、ＩＣカードが記録媒体の一例である。なお、ＩＣリーダー６に代えて、例えばユーザーの指紋の情報を読み取る指紋照合部などの情報読取部が設けられることも他の実施形態として考えられる。
【００３８】
ＩＣリーダー６は、図１及び図３に示されるように、支持筐体１０の右側面１２（筐体側面の一例）に収容されており、ＩＣリーダー６の表面は、透光性を有する読取カバー６１によって覆われている。そして、読取カバー６１の表面は、支持筐体１０の右側面１２の表面と平坦である。即ち、ＩＣリーダー６を覆う読取カバー６１及び支持筐体１０の右側面１２各々の表面が段差を有しない面一になっている。従って、画像形成装置１００の外観が損なわれず、ユーザーがＩＣリーダー６及び読取カバー６１に接触するおそれもない。
【００３９】
ところで、画像形成装置１００のユーザーは、自分の有するＩＣカードをＩＣリーダー６に読み取らせた後、操作部５を用いて操作を行う。このように、画像形成装置１００の使用開始時には、予め定められた一連のユーザー操作が行われる。このとき、ＩＣリーダー６及び操作部５の位置が離れているほど、ユーザーの必要操作範囲が広くなる。これに対し、画像形成装置１００では、ユーザーによるＩＣリーダー６及び操作部５の使用時における必要操作範囲を狭くなるようにＩＣリーダー６及び操作部５が配置されている。
【００４０】
具体的に、画像形成装置１００では、ＩＣリーダー６は、操作部５の表面が最も鉛直面に近くなる前記第１姿勢で操作部５の後方に一部が存在し、操作部５の表面が最も水平面に近くなる前記第２姿勢で操作部５の下方に一部が存在する領域に配置されている。このように、画像形成装置１００では、操作部５が上端及び下端の内側の回動軸５３によって前記第１姿勢及び前記第２姿勢の間の回動範囲で回動可能な構成であることにより生じる前面パネル１１の内側のスペースがＩＣリーダー６の配置領域として利用されている。
【００４１】
これにより、画像形成装置１００では、ＩＣリーダー６が操作部５の近傍に配置されることになり、ユーザーがＩＣリーダー６にＩＣカードを読み取らせてから操作部５を操作する際の必要操作範囲が狭くなる。
【００４２】
なお、図２は、画像形成装置１００の斜視図であって、読取カバー６１及びＩＣリーダー６を取り外した状態が示されている。図２に示されるように、支持筐体１０の側面１１にはＩＣホルダー６２が形成されており、ＩＣリーダー６は、ＩＣホルダー６２によって保持される。そして、ＩＣリーダー６及びＩＣホルダー６２は、読取カバー６１が画像読取部２に装着されることによって隠蔽される。
【００４３】
また、ＩＣリーダー６は、ＩＣリーダー６の動作状態などの表示に用いられるＬＥＤなどの点灯部６３を備えている。なお、点灯部６３は、ＩＣリーダー６によるＩＣカードからの情報の読み取りが正常に行われた場合に緑色に点灯し、ＩＣリーダー６によるＩＣカードからの情報の読み取りが正常に行われなかった場合に赤色に点灯する。一方、読取カバー６１は、透光性を有する灰色又は黒色などのスモークカバーであり、点灯部６３の点灯状態は読取カバー６１を介して外部から視認可能である。
【００４４】
［主電源スイッチ７］
主電源スイッチ７は、画像形成装置１００の主電源を入り切りするための操作ボタンである。具体的に、主電源スイッチ７は、画像形成装置１００が有するコピー機能、プリンター機能、スキャン機能、及びファクシミリ機能の全機能をオン又はオフにするために用いられる。
【００４５】
例えば、画像形成装置１００には、商用交流電源から供給される電力を変換する電源部（不図示）にトランスが設けられている。そして、主電源スイッチ７は、前記電源部に設けられたトランスの二次側に接続された電力経路の確立又は遮断を切り替えるプッシュ型スイッチ又はシーソー型スイッチである。これにより、画像形成装置１００において前記トランスの二次側に接続される各種の回路への電力の供給の有無が主電源スイッチ７によって切り替えられる。
【００４６】
一方、画像形成装置１００では、主電源スイッチ７の他に、画像形成装置１００のファクシミリ機能などの一部の機能を残して他の機能をオフにする省電力モードへの移行及び解除を行うための省電力キー（不図示）が設けられることがある。例えば、前記省電力キーは、操作部５に設けられ、前記省電力キーの操作により画像形成装置１００が省電力モードに移行する。
【００４７】
ところで、主電源スイッチ７が操作部５の直下の前面パネル１１に配置される構成では、ユーザーの操作性は向上する一方で、主電源スイッチ７がユーザーにとって認識しやすくなることが問題となる。これに対し、画像形成装置１００では、主電源スイッチ７の操作性とユーザーによる視認性とのバランスが考慮されて主電源スイッチ７が配置されている。
【００４８】
具体的に、主電源スイッチ７は、前記第１姿勢の操作部５と画像形成部３のカバー部材３１との間の位置において前記第１姿勢の操作部５の表面及びカバー部材３１の表面よりも後方に退避した位置に配置されている。より詳細に、画像形成装置１００では、支持筐体１０の前面パネル１１が、前記第１姿勢の操作部５と画像形成部３のカバー部材３１との間に介在しており、前記第１姿勢の操作部５の表面及びカバー部材３１の表面各々よりも後方に退避している。そして、主電源スイッチ７は、前記第１姿勢の操作部５の下端と画像形成部３のカバー部材３１の上端との間の位置において前面パネル１１に配置されている。
【００４９】
これにより、主電源スイッチ７及び操作部５が近接して設けられることになり、ユーザーの必要操作範囲が狭くなる。一方、主電源スイッチ７が操作部５及び画像形成装置３から後方に退避した前面パネル１１に配置されているため、主電源スイッチ７が目立ち過ぎることも抑制される。
【００５０】
特に、図４に示されているように、操作部５が前記第１姿勢の状態において、タッチパネル５１、操作ボタン５２、及び主電源スイッチ７は、鉛直上方向から鉛直下方向に向かって、タッチパネル５１、操作ボタン５２、及び主電源スイッチ７の順で配置されている。そのため、ユーザーの操作が行われる操作ボタン５２及び主電源スイッチ７が近い位置に集中して配置され、ユーザーによる操作性が向上する。
【００５１】
［制御部８］
制御部８は、図３に示されるように、画像形成装置１００の側面１２の背面側の制御ボックス１３内に配置されている。制御部８は、不図示のＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。制御部８は、前記ＣＰＵを用いて、前記ＲＯＭに予め記憶されている各種の制御プログラムに従って各種の処理を実行する。
【００５２】
具体的に、制御部８は、予め設定された画像読取処理を実行することにより、画像読取部２を用いて原稿の画像を読み取る。また、制御部８は、予め設定された画像形成処理を実行することにより、画像形成部３を用いてシートに画像を形成する。さらに、制御部８は、操作部５に設けられたタッチパネル５１の表示内容を制御する表示制御処理を実行する。
【００５３】
具体的に、制御部８は、ユーザーが画像形成装置１００にログインしていない状態で、操作部５のタッチパネル５１がユーザーによってタッチされた場合に、ＩＣリーダー６によるＩＣカードの読み取りを促すための表示画面Ｐ１をタッチパネル５１に表示させる。ここに、図１５及び図１６は、表示画面Ｐ１の一例を示す図である。なお、図１５は、操作部５が前記第１姿勢である場合の表示画面Ｐ１の表示例であり、図１６は、操作部５が前記第２姿勢である場合の表示画面Ｐ１の表示例である。
【００５４】
図１５及び図１６に示されているように、制御部８は、操作部５のタッチパネル５１の表示画面Ｐ１に、ＩＣカードを読み取らせる必要がある旨のメッセージと共に、ＩＣリーダー６の位置案内として位置案内画像Ｐ１１を表示させる。そして、制御部８は、操作部５の回動状態に応じて前記位置案内の内容を変化させる。なお、操作部５には、傾き検知センサー（不図示）が設けられており、前記傾き検知センサーによって検出される操作部８の回動状態が制御部８に入力される。
【００５５】
具体的に、操作部５が前記第１姿勢である場合、タッチパネル５１から見て、ＩＣリーダー６は右下方向に存在する。そのため、制御部８は、図１５に示されるように、位置案内画像Ｐ１１として右下方向を示す矢印の図形を表示させる。一方、操作部５が前記第２姿勢である場合、タッチパネル５１から見て、ＩＣリーダー６は右方向に存在する。そのため、制御部８は、図１６に示されるように、位置案内画像Ｐ１１として右方向を示す矢印の図形を表示させる。これにより、操作部５の回動に応じてＩＣリーダー６の位置をユーザーにわかりやすく示唆することができる。
【図１】
2018138996.tif 000003
【図２】
2018138996.tif 000004
【図３】
2018138996.tif 000005
【図４】
2018138996.tif 000006
【図５】
2018138996.tif 000007
【図６】
2018138996.tif 000008
【図７】
2018138996.tif 000009
【図８】
2018138996.tif 000010
【図９】
2018138996.tif 000011
【図１０】
2018138996.tif 000012
【図１１】
2018138996.tif 000013
【図１２】
2018138996.tif 000014
【図１３】
2018138996.tif 000015
【図１４】
2018138996.tif 000016
【図１５】
2018138996.tif 000017
【図１６】
2018138996.tif 000018